(57)【要約】【課題】ネットワークに接続されたリムーバブルメディア装置に装着されたリムーバブルメディアに記憶された情報の漏洩を防止することができるリムーバブルメディア装置を提供する。【解決手段】使用者は、メモリカード４０をメモリカード部８に装着する前に、複数のユーザのうちのいずれかのユーザを指定するユーザ番号を入力する。ＭＦＰ１のメモリカード部８にメモリカード４０が装着されると、ユーザ番号により指定された識別情報が有効な識別情報として設定される。次に、ＰＣ２０において、メモリカード４０から情報を取得するアプリケーションが、ユーザの操作により起動されると、ＰＣ２０にインストールされているブラウザは、ＭＦＰ１に対してログインを要求する。ＭＦＰ１は、このユーザ名とデフォルトのパスワードを受信すると、有効なユーザ名とパスワードとがそれぞれ一致するか否かの認証を行う。【選択図】図３
2007148721.tif 000002
【特許請求の範囲】
【請求項１】
リムーバブルメディアが記憶する情報をネットワークを介して出力することができるリムーバブルメディア装置において、
複数の識別情報を記憶する記憶手段と、
その記憶手段が記憶している複数の識別情報のいずれかを指定する指定手段と、
前記ネットワークを介して入力した識別情報が前記指定手段により指定された識別情報に一致するか否かを判定する認証手段と、
その認証手段により前記ネットワークを介して入力した識別情報が前記指定手段により指定された識別情報に一致すると判定した場合は、前記リムーバブルメディアが記憶する情報を前記ネットワークを介して出力し、前記認証手段により前記ネットワークを介して入力した識別情報が前記指定手段により指定された識別情報に一致しないと判定した場合は、前記リムーバブルメディアが記憶する情報を前記ネットワークを介して出力しないように制御する制御手段とを備えていることを特徴とするリムーバブルメディア装置。
【請求項２】
前記認証手段は、前記指定手段により前記記憶手段が記憶している複数の識別情報のいずれかが指定されない場合、前記ネットワークを介して入力した識別情報が前記記憶手段に記憶された複数の識別情報のいずれかに一致するか否かを判定し、
前記制御手段は、前記認証手段により前記ネットワークを介して入力した識別情報が前記記憶手段に記憶された複数の識別情報のいずれかに一致すると判定した場合は、前記リムーバブルメディアが記憶する情報を前記ネットワークを介して出力し、前記認証手段により前記ネットワークを介して入力した識別情報が前記記憶手段に記憶された複数の識別情報のいずれにも一致しないと判定した場合は、前記リムーバブルメディアが記憶する情報を前記ネットワークを介して出力しないように制御することを特徴とする請求項１記載のリムーバブルメディア装置。
【請求項３】
リムーバブルメディアが記憶する情報をネットワークを介して出力することができるリムーバブルメディア装置において、
前記リムーバブルメディアが記憶している複数の識別情報のいずれかを指定する指定手段と、
前記ネットワークを介して入力した識別情報が前記指定手段により指定された識別情報に一致するか否かを判定する認証手段と、
その認証手段により前記ネットワークを介して入力した識別情報が前記指定手段により指定された識別情報に一致すると判定した場合は、前記リムーバブルメディアが記憶する情報を前記ネットワークを介して出力し、前記認証手段により前記ネットワークを介して入力した識別情報が前記指定手段により指定された識別情報に一致しないと判定した場合は、前記リムーバブルメディアが記憶する情報を前記ネットワークを介して出力しないように制御する制御手段とを備えていることを特徴とするリムーバブルメディア装置。
【請求項４】
前記認証手段は、前記指定手段により前記リムーバブルメディアが記憶している複数の識別情報のいずれかが指定されない場合、前記ネットワークを介して入力した識別情報が前記リムーバブルメディアに記憶された複数の識別情報のいずれかに一致するか否かを判定し、
前記制御手段は、前記認証手段により前記ネットワークを介して入力した識別情報が前記リムーバブルメディアに記憶された複数の識別情報のいずれかに一致すると判定した場合は、前記リムーバブルメディアが記憶する情報を前記ネットワークを介して出力し、前記認証手段により前記ネットワークを介して入力した識別情報が前記リムーバブルメディアに記憶された複数の識別情報のいずれにも一致しないと判定した場合は、前記リムーバブルメディアが記憶する情報を前記ネットワークを介して出力しないように制御することを特徴とする請求項３記載のリムーバブルメディア装置。
【請求項５】
前記指定手段は、リムーバブルメディアが装着される前に複数の識別情報のいずれかを
指定することを特徴とする請求項１から４のいずれかに記載のリムーバブルメディア装置。
【請求項６】
前記指定手段は、前記複数の識別情報のいずれかに対応する文字または符号を入力する入力手段を備え、その入力手段により入力された文字または符号によりいずれかの識別情報を指定することを特徴とする請求項１から５のいずれかに記載のリムーバブルメディア装置。
【請求項７】
リムーバブルメディアが記憶する情報をネットワークを介して出力することができるリムーバブルメディア装置により実行されるリムーバブルメディア装置制御プログラムにおいて、
前記リムーバブルメディア装置は、複数の識別情報を記憶する記憶手段を備え、
前記記憶手段が記憶する複数の識別情報のいずれかを指定する指定ステップと、
前記ネットワークを介して入力した識別情報が前記指定ステップにより指定された識別情報に一致するか否かを判定する認証ステップと、
その認証ステップにより前記ネットワークを介して入力した識別情報が前記指定ステップにより指定された識別情報に一致すると判定した場合は、前記リムーバブルメディアが記憶する情報を前記ネットワークを介して出力し、前記認証手段により前記ネットワークを介して入力した識別情報が前記指定ステップにより指定された識別情報に一致しないと判定した場合は、前記リムーバブルメディアが記憶する情報を前記ネットワークを介して出力しないように制御する制御ステップとを備えていることを特徴とするリムーバブルメディア装置制御プログラム。
【請求項８】
リムーバブルメディアが記憶する情報をネットワークを介して出力することができるリムーバブルメディア装置により実行されるリムーバブルメディア装置制御方法において、
前記リムーバブルメディア装置は、複数の識別情報を記憶する記憶手段を備え、
前記記憶手段が記憶する複数の識別情報のいずれかを指定する指定ステップと、
前記ネットワークを介して入力した識別情報が前記指定ステップにより指定された識別情報に一致するか否かを判定する認証ステップと、
その認証ステップにより前記ネットワークを介して入力した識別情報が前記指定ステップにより指定された識別情報に一致すると判定した場合は、前記リムーバブルメディアが記憶する情報を前記ネットワークを介して出力し、前記認証手段により前記ネットワークを介して入力した識別情報が前記指定ステップにより指定された識別情報に一致しないと判定した場合は、前記リムーバブルメディアが記憶する情報を前記ネットワークを介して出力しないように制御する制御ステップとを備えていることを特徴とするリムーバブルメディア装置制御方法。
【発明の詳細な説明】
【技術分野】
【０００１】
本発明は、リムーバブルメディア装置、リムーバブルメディア装置制御方法およびリムーバブルメディア装置制御プログラムに関し、特にリムーバブルメディアに記憶された情報がネットワークを介して漏洩することを防止することができるリムーバブルメディア装置、リムーバブルメディア装置制御プログラムおよびリムーバブル装置制御方法に関する。
【背景技術】
【０００２】
デジタルカメラにより撮影された画像データや、コンピュータにより作成された文書などの情報は、着脱自在なメモリカード（リムーバブルメディア）に記憶される。そのメモリカードは、ネットワークに接続されたカードリーダ（リムーバブルメディア装置）に装着され、メモリカードに記憶される情報が読み取られ、その情報は、ネットワークに接続されたコンピュータに入力される。
【０００３】
一方、ネットワークを用いた情報の送受において、セキュリティを高めるために、ユーザ名やパスワードの入力を要求し、正しいユーザ名およびパスワードを入力した場合に限りアクセスを許諾することが行われている。したがって、ユーザは、アクセスを行う毎にユーザ名とパスワードとを正確に入力しなければならない。特開２００３−１９６２４１号公報（特許文献１）には、ユーザ名やパスワードの入力作業の利便性を高めるために、一度ユーザ名とパスワードを入力すると、それらの情報がＩＣカードに記憶され、それ以降は、そのＩＣカードにより自動的にそれら設定が行われる装置が開示されている。
【特許文献１】特開２００３−１９６２４１号公報
【発明の開示】
【発明が解決しようとする課題】
【０００４】
しかしながら、会社などのネットワークに、複数のコンピュータと、カードリーダとが接続され、複数のコンピュータを使用する者が、カードリーダにアクセスすることができる場合には、メモリカードに記憶される情報を読み出すことができる。カードリーダには、パスワードを設定することができ、そのパスワードを知っている者だけが、そのカードリーダにアクセスすることができるが、カードリーダのパスワードを知っている者と、メモリカードに記憶されている情報を取得してもよい者とは、必ずしも一致しない。
【０００５】
したがって、情報の種類には、例えば人事に関する情報や、個人情報もあり、カードリーダのパスワードを知っている者全てがカードリーダに装着されたメモリカードに記憶された情報を取得できるということでは機密情報が漏洩する恐れがあるという問題点がある。
【０００６】
本発明は、上記問題点を解決するためになされたものであり、ネットワークに接続されたリムーバブルメディア装置に装着されたリムーバブルメディアに記憶された情報の漏洩を防止することができるリムーバブルメディア装置、リムーバブルメディア装置制御プログラムおよびリムーバブルメディア装置制御方法を提供することを目的としている。
【課題を解決するための手段】
【０００７】
この目的を達成するために、本発明の請求項１記載のリムーバブルメディア装置は、リムーバブルメディアが記憶する情報をネットワークを介して出力することができるものであって、複数の識別情報を記憶する記憶手段と、その記憶手段が記憶している複数の識別情報のいずれかを指定する指定手段と、前記ネットワークを介して入力した識別情報が前記指定手段により指定された識別情報に一致するか否かを判定する認証手段と、その認証手段により前記ネットワークを介して入力した識別情報が前記指定手段により指定された識別情報に一致すると判定した場合は、前記リムーバブルメディアが記憶する情報を前記ネットワークを介して出力し、前記認証手段により前記ネットワークを介して入力した識別情報が前記指定手段により指定された識別情報に一致しないと判定した場合は、前記リムーバブルメディアが記憶する情報を前記ネットワークを介して出力しないように制御する制御手段とを備えている。
【０００８】
請求項２記載のリムーバブルメディア装置は、請求項１記載のリムーバブルメディア装置において、前記認証手段は、前記指定手段により前記記憶手段が記憶している複数の識別情報のいずれかが指定されない場合、前記ネットワークを介して入力した識別情報が前記記憶手段に記憶された複数の識別情報のいずれかに一致するか否かを判定し、前記制御手段は、前記認証手段により前記ネットワークを介して入力した識別情報が前記記憶手段に記憶された複数の識別情報のいずれかに一致すると判定した場合は、前記リムーバブルメディアが記憶する情報を前記ネットワークを介して出力し、前記認証手段により前記ネットワークを介して入力した識別情報が前記記憶手段に記憶された複数の識別情報のいずれにも一致しないと判定した場合は、前記リムーバブルメディアが記憶する情報を前記ネットワークを介して出力しないように制御する。
【０００９】
請求項３記載のリムーバブルメディア装置は、リムーバブルメディアが記憶する情報をネットワークを介して出力することができるものであり、前記リムーバブルメディアが記憶している複数の識別情報のいずれかを指定する指定手段と、前記ネットワークを介して入力した識別情報が前記指定手段により指定された識別情報に一致するか否かを判定する認証手段と、その認証手段により前記ネットワークを介して入力した識別情報が前記指定手段により指定された識別情報に一致すると判定した場合は、前記リムーバブルメディアが記憶する情報を前記ネットワークを介して出力し、前記認証手段により前記ネットワークを介して入力した識別情報が前記指定手段により指定された識別情報に一致しないと判定した場合は、前記リムーバブルメディアが記憶する情報を前記ネットワークを介して出力しないように制御する制御手段とを備えている。
【００１０】
請求項４記載のリムーバブルメディア装置は、請求項３記載のリムーバブルメディア装置において、前記認証手段は、前記指定手段により前記リムーバブルメディアが記憶している複数の識別情報のいずれかが指定されない場合、前記ネットワークを介して入力した識別情報が前記リムーバブルメディアに記憶された複数の識別情報のいずれかに一致するか否かを判定し、前記制御手段は、前記認証手段により前記ネットワークを介して入力した識別情報が前記リムーバブルメディアに記憶された複数の識別情報のいずれかに一致すると判定した場合は、前記リムーバブルメディアが記憶する情報を前記ネットワークを介して出力し、前記認証手段により前記ネットワークを介して入力した識別情報が前記リムーバブルメディアに記憶された複数の識別情報のいずれにも一致しないと判定した場合は、前記リムーバブルメディアが記憶する情報を前記ネットワークを介して出力しないように制御する。
【００１１】
請求項５記載のリムーバブルメディア装置は、請求項１から４のいずれかに記載のリムーバブルメディア装置において、前記指定手段は、リムーバブルメディアが装着される前に前記複数の識別情報のいずれかを指定する。
【００１２】
請求項６記載のリムーバブルメディア装置は、請求項１から５のいずれかに記載のリムーバブルメディア装置において、前記指定手段は、前記複数の識別情報のいずれかに対応する文字または符号を入力する入力手段を備え、その入力手段により入力された文字または符号によりいずれかの識別情報を指定する。
【００１３】
請求項７記載のリムーバブルメディア装置制御プログラムは、リムーバブルメディアが記憶する情報をネットワークを介して出力することができるリムーバブルメディア装置により実行されるものであり、前記リムーバブルメディア装置は、複数の識別情報を記憶する記憶手段を備え、前記記憶手段が記憶する複数の識別情報のいずれかを指定する指定ステップと、前記ネットワークを介して入力した識別情報が前記指定ステップにより指定された識別情報に一致するか否かを判定する認証ステップと、その認証ステップにより前記ネットワークを介して入力した識別情報が前記指定ステップにより指定された識別情報に一致すると判定した場合は、前記リムーバブルメディアが記憶する情報を前記ネットワークを介して出力し、前記認証手段により前記ネットワークを介して入力した識別情報が前記指定ステップにより指定された識別情報に一致しないと判定した場合は、前記リムーバブルメディアが記憶する情報を前記ネットワークを介して出力しないように制御する制御ステップとを備えている。
【００１４】
請求項８記載のリムーバブルメディア装置制御方法は、リムーバブルメディアが記憶する情報をネットワークを介して出力することができるリムーバブルメディア装置により実行されるものであり、前記リムーバブルメディア装置は、複数の識別情報を記憶する記憶手段を備え、前記記憶手段が記憶する複数の識別情報のいずれかを指定する指定ステップと、前記ネットワークを介して入力した識別情報が前記指定ステップにより指定された識別情報に一致するか否かを判定する認証ステップと、その認証ステップにより前記ネットワークを介して入力した識別情報が前記指定ステップにより指定された識別情報に一致すると判定した場合は、前記リムーバブルメディアが記憶する情報を前記ネットワークを介して出力し、前記認証手段により前記ネットワークを介して入力した識別情報が前記指定ステップにより指定された識別情報に一致しないと判定した場合は、前記リムーバブルメディアが記憶する情報を前記ネットワークを介して出力しないように制御する制御ステップとを備えている。
【発明の効果】
【００１５】
請求項１記載のリムーバブルメディア装置によれば、複数の識別情報を記憶する記憶手段と、その記憶手段が記憶している複数の識別情報のいずれかを指定する指定手段と、ネットワークを介して入力した識別情報が指定手段により指定された識別情報に一致するか否かを判定する認証手段と、その認証手段によりネットワークを介して入力した識別情報が指定手段により指定された識別情報に一致すると判定した場合は、リムーバブルメディアが記憶する情報を前記ネットワークを介して出力し、認証手段によりネットワークを介して入力した識別情報が指定手段により指定された識別情報に一致しないと判定した場合は、リムーバブルメディアが記憶する情報をネットワークを介して出力しないように制御する制御手段とを備えているので、リムーバブルメディアが記憶する情報をリムーバブルメディア装置に記憶されている複数の識別情報の中の指定された識別情報を入力した機器にだけネットワークを介して送信する。よって、リムーバブルメディアが記憶する情報が特定の者以外に漏洩することを防止することができるという効果がある。
【００１６】
請求項２記載のリムーバブルメディア装置によれば、請求項１記載のリムーバブルメディア装置の奏する効果に加え、認証手段は、指定手段により記憶手段が記憶している複数の識別情報のいずれかが指定されない場合、ネットワークを介して入力した識別情報が記憶手段に記憶された複数の識別情報のいずれかに一致するか否かを判定し、制御手段は、認証手段によりネットワークを介して入力した識別情報が記憶手段に記憶された複数の識別情報のいずれかに一致すると判定した場合は、リムーバブルメディアが記憶する情報をネットワークを介して出力し、認証手段によりネットワークを介して入力した識別情報が記憶手段に記憶された複数の識別情報のいずれにも一致しないと判定した場合は、リムーバブルメディアが記憶する情報をネットワークを介して出力しないように制御するので、リムーバブルメディアに記憶される情報に応じて、リムーバブルメディア装置に登録されたユーザの中の指定されたユーザだけがその情報を取得できる場合と、リムーバブルメディア装置に登録されたユーザであればその情報を取得できる場合とを設定することができる。よって、リムーバブルメディアに記憶する内容に応じた情報の開示または情報の漏洩防止を行うことができるという効果がある。
【００１７】
請求項３記載のリムーバブルメディア装置によれば、リムーバブルメディアが記憶している複数の識別情報のいずれかを指定する指定手段と、ネットワークを介して入力した識別情報が指定手段により指定された識別情報に一致するか否かを判定する認証手段と、その認証手段によりネットワークを介して入力した識別情報が指定手段により指定された識別情報に一致すると判定した場合は、リムーバブルメディアが記憶する情報をネットワークを介して出力し、認証手段によりネットワークを介して入力した識別情報が指定手段により指定された識別情報に一致しないと判定した場合は、リムーバブルメディアが記憶する情報をネットワークを介して出力しないように制御する制御手段とを備えているので、リムーバブルメディアが記憶する複数の識別情報のうち、指定された識別情報を入力した機器だけがリムーバブルメディアに記憶された情報を取得することができ、情報の漏洩を防止することができるという効果がある。
【００１８】
請求項４記載のリムーバブルメディア装置によれば、請求項３記載のリムーバブルメディア装置の奏する効果に加え、認証手段は、指定手段によりリムーバブルメディアが記憶している複数の識別情報のいずれかが指定されない場合、ネットワークを介して入力した識別情報が記憶手段に記憶された複数の識別情報のいずれかに一致するか否かを判定し、制御手段は、認証手段によりネットワークを介して入力した識別情報がリムーバブルメディアに記憶された複数の識別情報のいずれかに一致すると判定した場合は、リムーバブルメディアが記憶する情報をネットワークを介して出力し、認証手段によりネットワークを介して入力した識別情報がリムーバブルメディアに記憶された複数の識別情報のいずれにも一致しないと判定した場合は、リムーバブルメディアが記憶する情報をネットワークを介して出力しないように制御するので、リムーバブルメディアに記憶される情報に応じて、リムーバブルメディア装置に登録されたユーザの中の指定されたユーザだけがその情報を取得できる場合と、リムーバブルメディア装置に登録されたユーザであればその情報を取得できる場合とを設定することができる。よって、リムーバブルメディアに記憶する内容に応じた情報の開示または情報の漏洩防止を行うことができるという効果がある。
【００１９】
請求項５記載のリムーバブルメディア装置によれば、請求項１から４のいずれかに記載のリムーバブルメディア装置の奏する効果に加え、指定手段は、リムーバブルメディアが装着される前に前記複数の識別情報のいずれかを指定するので確実にリムーバブルメディアが記憶する情報が漏洩することを防止することができるという効果がある。リムーバブルメディアが装着された後に識別情報のいずれかを指定すると、リムバブルメディアを装着した後、識別情報の指定を行う前にリムーバブルメディアが記憶する情報が漏洩する場合がある。
【００２０】
請求項６記載のリムーバブルメディア装置によれば、請求項１から５のいずれかに記載のリムーバブルメディア装置の奏する効果に加え、指定手段は、複数の識別情報のいずれかに対応する文字または符号を入力する入力手段を備え、その入力手段により入力された文字または符号によりいずれかの識別情報を指定するので、複数の識別情報のいずれかを簡単な操作で指定することができるという効果がある。
【００２１】
請求項７記載のリムーバブルメディア装置制御プログラムおよび請求項８記載のリムーバブル装置制御方法によれば、リムーバブルメディア装置は、複数の識別情報を記憶する記憶手段を備え、記憶手段が記憶する複数の識別情報のいずれかを指定する指定ステップと、ネットワークを介して入力した識別情報が指定ステップにより指定された識別情報に一致するか否かを判定する認証ステップと、その認証ステップによりネットワークを介して入力した識別情報が指定ステップにより指定された識別情報に一致すると判定した場合は、リムーバブルメディアが記憶する情報を前記ネットワークを介して出力し、認証手段によりネットワークを介して入力した識別情報が指定ステップにより指定された識別情報に一致しないと判定した場合は、リムーバブルメディアが記憶する情報をネットワークを介して出力しないように制御する制御ステップとを備えているので、リムーバブルメディアが記憶する情報をリムーバブルメディア装置に記憶されている複数の識別情報の中の指定された識別情報を入力した機器にだけネットワークを介して送信する。よって、リムーバブルメディアが記憶する情報が特定の者以外に漏洩することを防止することができるという効果がある。
【発明を実施するための最良の形態】
【００２２】
以下、本発明の好ましい実施例について、添付図面を参照して説明する。図１は、本発明の実施形態における多機能周辺装置（以下、「ＭＦＰ（Multi Function
Peripheral）」と略す）１と、ＬＡＮ（Local Area Network）５０を介して接続されるパーソナルコンピュータ（以下、「ＰＣ」と略す）２０とからなる通信システムの構成を示すブロック図である。
【００２３】
ＭＦＰ１は、フォトメディアキャプチャ機能、プリンタ機能、コピー機能、スキャナ機能、ファクシミリ機能などの各種の機能を１台に備えている。図１に示すように、ＭＦＰ１は、ＭＦＰ１全体の動作を制御するＣＰＵ２と、そのＣＰＵ２により実行される各種処理に必要なデータ等を一時的に記憶するためのメモリであるＲＡＭ３と、ＣＰＵ２により実行される各種制御プログラムや固定値データを記憶するＲＯＭ４と、ＬＡＮインターフェース（以下、「ＬＡＮＩ／Ｆ」と称する）５と、プリンタ部６と、スキャナ部７と、メモリカード部８と、ＭＦＰ１で各種機能を実行させるための複数の操作入力キー（ボタンやスイッチなど）から構成される操作部９と、フラッシュメモリ１０と、電話回線（図示なし）を介して画像情報を送受信するファクシミリ部１１とを主に備えている。
【００２４】
ＣＰＵ２は、ＲＯＭ４に記憶された各種プログラムを実行するプロセッサであり、ＲＡＭ３は、ＣＰＵ２が各種プログラムを実行する際、変数などを一時記憶するワークエリア等を有するランダムにアクセスできるメモリである。変数の一つとしてユーザにより指定されるユーザ番号を記憶するユーザ番号メモリ３ａが備えられている。ユーザ番号は、後述するように、複数のユーザに対応してフラッシュメモリ１０に記憶される識別情報のいずれかを指定する番号であり、ユーザにより指定されるものである。
【００２５】
操作部９は、操作パネルに複数のスイッチや表示器を備えるものであり、ユーザがスイッチを操作することによりＭＦＰ１に指示を行うことができる。スイッチとしては、コピー機能、スキャナ機能、ファクシミリ機能などの各種の機能を選択するモード選択キー９ｈ〜９ｋ（図２参照）や、数値や文字を入力することができるテンキーなどが備えられている。モードスイッチを操作することにより、フォトメディアキャプチャ機能を実行するフォトメディアキャプチャモード、コピー機能を実行するコピーモード、スキャナ機能を実行するスキャナモード、ファクシミリ機能を実行するファクシミリモードなどに設定することができる。また、テンキーを操作することにより、ファクシミリ送信番号を入力したり、識別情報を指定するユーザ番号を入力することができる。表示器は、設定された種々の値などを示す設定画面などを表示するものである（図２参照）。
【００２６】
フラッシュメモリ１０は、種々のデータの書き込みおよび読み出しを行うことができる不揮発性のメモリで、複数のユーザに対応して、ユーザ名とパスワードとによりなる識別情報を記憶する識別情報メモリ１０ａを備えている。ユーザ名は、例えば、「ｕｓｅｒ０３」などのように数字により表されるユーザ番号を含み、そのユーザ番号を操作部９において入力することによりいずれかの識別情報を指定することができる。
【００２７】
いずれかの識別情報が指定された場合は、ＲＡＭ３のユーザ番号メモリ３ａに記憶され、そのユーザ番号に対応する識別情報が、ＬＡＮ５０を介して入力されて認証を受けた場合に限り、その識別情報を送信した機器にメモリカード４０が記憶するデータを送信する。
【００２８】
この実施形態では、メモリカード４０がメモリカード部８に装着される前に識別情報を指定するものとする。その理由は、メモリカード４０が装着された後に、複数の識別情報のうちのいずれかが指定されるように構成すると、メモリカード４０が装着された後、いずれかの識別情報が指定されるまでの間にメモリカード４０に記憶された情報が漏洩する恐れがあるからである。
【００２９】
ＬＡＮＩ／Ｆ５は、ネットワークであるＬＡＮ５０のインターフェースである。なお、この実施形態では、ファイル転送のプロトコルとしてＦＴＰ（File Transfer
Protocol）を使用して通信を行うものとする。フォトメディアキャプチャモードに設定されている場合には、メモリカード部８に装着されたメモリカード４０に記憶されているデータを、このＬＡＮＩ／Ｆ５を介してＬＡＮ５０に接続されたＰＣ２０に送信することができる。
【００３０】
プリンタ部６は、ＣＰＵ２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。フォトメディアキャプチャモードに設定されている場合には、メモリカード部８に装着されたメモリカード４０に記憶されている画像や文書などのデータを、このプリンタ部６により印刷することができる。
【００３１】
スキャナ部７は、ＣＰＵ２からの指示に基づいて、所定の読取位置（非図示）にセットされた原稿から画像の読み取りを行うと共に、この画像のイメージデータを生成するものである。このスキャナ部７により読み取られたイメージデータは、ＬＡＮ５０を介してＰＣ２０に送信される。
【００３２】
また、ＭＦＰ１が、コピーモードに設定されている場合には、このスキャナ部７によって生成されたイメージデータは、プリンタ部６により記録紙に印刷される。さらに、ＭＦＰ１が、ＭＦＰ１におけるスキャナ機能を機能させるスキャナモードに設定されている場合には、このスキャナ部７によって生成されたイメージデータは、ＲＡＭ３における所定の記憶領域に格納される。
【００３３】
メモリカード部８は、各種メモリカード４０を着脱自在に装着可能なスロットを備え、そのスロットに装着されたメモリカード４０に記憶されているデータを読み出したり、書き込むことができるものである。ＭＦＰ１がフォトメディアキャプチャモードに設定されている場合には、メモリカード部８に装着されているメモリカード４０に記憶されているデータを読み出してプリンタ部６により印刷を行うことができるとともに、メモリカード４０から読み出されたデータは、ＬＡＮ５０を介してＰＣ２０に送信することができる。また、ＭＦＣ１を操作することにより、メモリカード４０の識別情報メモリ４０ａに識別情報を書き込むことや、ＬＡＮ５０を介してＰＣ２０から所定の情報をデータメモリ４０ｂに書き込む機能を備えている。
【００３４】
メモリカード４０は、書き換えができると共に電源が遮断された場合でも記憶を保持するフラッシュメモリにより構成され、各社から種々のタイプのもの（例えば、ＳＤカードやｘＤカード）が提供されている。このメモリカード４０は、デジタルカメラなどにより撮影された画像データや、コンピュータなどにより作成されたテキストデータなどのデータを記憶する。
【００３５】
ＰＣ２０からネットワーク５０を介してデータメモリ４０ｂに記憶しているデータを取得する場合は、ＰＣ２０において識別情報を入力し、ＭＦＰ１がその識別情報を受信して、その識別情報とＲＡＭ３の所定の領域に記憶された識別情報とが一致するか否かを判定する認証を行う。認証が行われた結果、ユーザ名およびパスワードがそれぞれ一致する場合は、データメモリ４０ｂに記憶しているデータのＰＣ２０への送信を許可し、ユーザ名またはパスワードが一致しない場合は、そのデータをＰＣ２０へ送信しないように構成されている。なお、識別情報メモリ４０ａに識別情報が記憶されていない場合には、規制されずにデータメモリ４０ｂに記憶されているデータを取得することができる。
【００３６】
ファクシミリ部１１は、スキャナ部７により読み取られたイメージデータや、ＬＡＮ５０を介して受信したデータなどを電話回線を介して送信し、電話回線を介して受信したデータをプリンタ部６で印刷したり、ＬＡＮ５０を介してＰＣ２０へ送信したりすることができる。
【００３７】
次に、ＰＣ２０について説明する。ＰＣ２０は、ＣＰＵ２１と、そのＣＰＵ２１により実行される各種処理に必要なデータやプログラム等を一時的に記憶するためのメモリであるＲＡＭ２２と、ＣＰＵ２１により実行される各種の制御プログラムや固定値データを記憶するＲＯＭ２３と、各種設定を記憶し書き換え可能で不揮発性のメモリであるハードディスク２４と、各種機能を設定するための複数の操作入力キーを有するキーボードとマウスから構成される操作部２７と、各種情報を表示する液晶ディスプレイにより構成される表示器２５と、ＬＡＮ５０に接続するためのＬＡＮインターフェースであるＬＡＮＩ／Ｆ２６とを備えている。
【００３８】
ハードディスク２４には、ＯＳ（Operating System）などの他に、各種アプリケーションプログラム（以下、アプリケーションと略す）がインストールされている。そのアプリケーションプログラムとして、ＭＦＰ１に備えられているメモリカード部８に装着されているメモリカード４０にＬＡＮ５０を介してアクセスし、メモリカード４０が記憶するデータの取得処理などを行うプログラムや、インターネットを介してＨＴＭＬファイルや画像ファイル、音楽ファイルなどをダウンロードし、レイアウトを解析して表示、再生するブラウザが記憶されている。
【００３９】
次に、図２を参照して、ＭＦＰ１の操作部９である操作パネル部分について説明する。図２は、ＭＦＰ１における操作部９の平面図である。図２に示すように、この操作部９は、ＬＣＤ９ａと各種操作入力キー９ｂ〜９ｋとから構成されている。
【００４０】
ＬＣＤ９ａは、ＭＦＰ１における各種情報を表示する液晶ディスプレイ（ＬＣＤ）である。このＬＣＤ９ａでは、上記したような機能設定時における機能又は設定値等を設定させるための設定表示等が表示される。
【００４１】
操作入力キー９ｂは、電源ボタンであり、ＭＦＰ１が電源遮断の状態で押下すると、ＭＦＰ１に電源が投入され、一方で、ＭＦＰ１に電源が投入されている状態において、操作入力キー９ｂが押下されるとＭＦＰ１は電源遮断される。
【００４２】
操作入力キー９ｃは、ＭＦＰ１で実行させる機能又は設定値などを、ＬＣＤ９ａに表示される選択肢の中から設定させるための十字キー及びメニューセットキーである。この操作入力キー９ｃの上下左右の端部を押下することにより、ＬＣＤ９ａに表示されるカーソルが上下左右に移動される。そして、カーソルが所望の機能又は設定値に対応する選択肢に配置された場合に、操作入力キー９ｃの中央部を押下することにより、カーソルが配置されていた機能又は設定値が設定される。
【００４３】
メニューの一つに、識別情報メモリ１０ａに新たな識別情報を設定するまたは、識別情報メモリ１０ａに記憶されたいずれかの識別情報を変更する処理である識別情報設定処理を選択することができる。
【００４４】
操作入力キー９ｄは、テンキーであり、ＭＦＰ１がフォトメディアキャプチャモードに設定されている場合は、フラッシュメモリ１０の識別情報メモリ１０ａに記憶されている識別情報のいずれかに対応する２桁のユーザ番号を入力することにより、識別情報を指定することができる。また、ＦＡＸモードである場合は、ファクシミリデータを送信する相手側装置の電話番号の入力や設定値の入力等に用いられ、コピーモードである場合は、コピーを行う枚数などの入力に用いられる。
【００４５】
また、操作入力キー９ｅは、設定ボタンであり、各種モードにおける特定の機能（例えば、ファクシミリモードにおけるオンフックダイヤル機能）を実行指示するものである。また、操作入力キー９ｆは、ストップボタンであり、各種機能を実行している場合に、停止を指示するものであり、操作入力キー９ｇは、スタートボタンであり、ファクシミリモードやコピーモードにおいて、それらの機能の実行の開始を指示するものである。
【００４６】
操作入力キー９ｈ〜９ｋは、モード選択キーであり、ＭＦＰ１においてフォトメディアキャプチャ機能を機能させるＰＣＣモードキー９ｈと、コピー機能を機能させるコピーモードキー９ｉと、ファクシミリ機能を機能させるファクシミリモードキー９ｊと、スキャナ機能を機能させるスキャンモードキー９ｋとを備えている。これらのモード選択キー９ｈ〜９ｋのいずれかが押下されると、ＭＦＰ１は、押下された選択キーに応じた機能を実行するように設定される。
【００４７】
次に、図３を参照して、ＭＦＰ１とＰＣ２０とにより行われる処理の概要についてに説明する。図３は、ＭＦＰ１とＰＣ２０において実行される処理の概要を示す模式図である。
【００４８】
まず、使用者は、メモリカード４０をメモリカード部８に装着する前に、複数のユーザのうちのいずれかのユーザを指定するユーザ番号を入力する（図示なし）。ＭＦＰ１のメモリカード部８にメモリカード４０が装着されると、ユーザ番号により指定された識別情報が有効な識別情報として設定される。次に、ＰＣ２０にインストールされているブラウザが、ユーザの操作により起動され、ＭＦＰ１に対してログインを要求する［１］。この時指定されるアドレスは、「ｆｔｐ：／／ａｂｃ＠ｄｅｆ」などとしてされる。「ｆｔｐ」は、ｆｔｐサーバとして機能するＭＦＰ１を示し、「ａｂｃ」は、ユーザ名であり、＠以下の「ｄｅｆ」は、ノード名である。ブラウザは、ログインを行う時、デフォルトのパスワードをＭＦＰ１に送信する［２］。なお、ブラウザでは、最初のログイン時に、予め設定されたデフォルトのパスワードを送信するように設定されている。
【００４９】
ＭＦＰ１は、このユーザ名とデフォルトのパスワードを受信すると、有効なユーザ名とパスワードとがそれぞれ一致するか否かの認証を行う。デフォルトのパスワードは、有効なパスワードとは一致しないので、ＭＦＰ１は、パスワードが正しくないという情報（ＮＧ）を、ＰＣ２０に返す［３］。
【００５０】
ブラウザは、ＮＧを受信するとユーザ名とパスワードを入力する画面（図６参照）を表示するように構成されている。この画面において、ユーザがユーザ名とパスワードを入力すると、再度ログイン要求を行い［４］、設定されたユーザ名とパスワードがＭＦＰ１に対して送信される［５］。
【００５１】
ＭＦＰ１は、この再度入力されたユーザ名とパスワードとが、有効なユーザ名とパスワードとそれぞれ一致するか否かの認証を行い、一致している場合には、認証が成功したことをＰＣ２０に通知し、それ以降のＰＣ２０の要求に応じてメモリカード４０が記憶している情報の送信などを行う。
【００５２】
次に、図４と図５とを参照して、ＭＦＰ１で行われる処理について説明する。図４は、ＭＦＰ１において行われるメイン処理を示すフローチャートである。このメイン処理は、ＭＦＰ１の電源が投入された時に起動され、電源が遮断されるまで実行されるものである。
【００５３】
この処理では、まず、初期設定を行う（Ｓ１）。この初期設定としては、有効な識別情報は、指定されていないものとする。具体的には、識別情報メモリ１０ａに記憶されている複数の識別情報のいずれかを指定するユーザ番号が設定されていないという情報をＲＡＭ３に設けられたユーザ番号メモリ３ａに設定する。次に、識別情報メモリ１０ａに新たな識別情報を設定する処理、または、識別情報メモリ１０ａに記憶されたいずれかの識別情報を変更する処理である識別情報設定処理を行うように選択されたか否かを判断する（Ｓ２）。
【００５４】
識別情報設定処理が選択された場合は（Ｓ２：Ｙｅｓ）、識別情報設定処理を実行する（Ｓ３）。この識別情報設定処理については、図５に示すフローチャートを参照して後述する。識別情報設定処理が選択されたのではない場合（Ｓ２：Ｎｏ）、またはＳ３の識別情報設定処理を終了した場合は、フォトメディアキャプチャモードに設定されたか否かを判断する（Ｓ４）。なお、図４においては、「フォトキャプチャ」と略して示す。
【００５５】
フォトメディアキャプチャモードに設定されたのではない場合は（Ｓ４：Ｎｏ）、その他の処理を実行する（Ｓ５）。その他の処理としては、他のモードを設定するスイッチが操作されたか否かを判断し、その操作されたスイッチに対応する処理を実行する。
【００５６】
フォトメディアキャプチャモードに設定された場合は（Ｓ４：Ｙｅｓ）、識別番号に対応するユーザ番号が入力されたか否かを判断し（Ｓ６）、ユーザ番号が入力された場合は（Ｓ６：Ｙｅｓ）、その入力されたユーザ番号が、識別情報メモリ１０ａに記憶された複数の識別情報のいずれかに一致するか否かを判断する（Ｓ７）。一致する識別情報がある場合には（Ｓ７：Ｙｅｓ）、そのユーザ番号をユーザ番号メモリ３ａに記憶する（Ｓ８）。
【００５７】
Ｓ６の判断処理において、ユーザ番号が入力されていない場合（Ｓ６：Ｎｏ）、またはＳ７の判断処理で入力されたユーザ番号が、識別情報メモリ１０ａに記憶された複数の識別情報のいずれにも一致しない場合（Ｓ７：Ｎｏ）、またはＳ８の処理が終了いた場合は、次に、メモリカード４０が、メモリカード部８に装着されたか否かを判断する（Ｓ９）。
【００５８】
メモリカード４０が装着された場合は（Ｓ９：Ｙｅｓ）、ＬＡＮ５０を介してログイン要求を受信したか否かを判断する（Ｓ１２）。ログイン要求を受信した場合は（Ｓ１２：Ｙｅｓ）、複数の識別情報のいずれかが指定されているか否かを判断する（Ｓ１３）。この判断は、上述の通りＲＡＭ３のユーザ番号メモリ３ａにユーザ番号が記憶されていれば、指定されていると判断し、ユーザ番号が記憶されていなければ指定されていないと判断される。
【００５９】
識別情報が指定されている場合は（Ｓ１３：Ｙｅｓ）、ログイン要求に付与されているユーザ名とパスワードとが、指定されている識別情報のユーザ名とパスワードとそれぞれ一致するか否かを判断する（Ｓ１４）。ログイン要求に付与されているユーザ名とパスワードとが、指定されている識別情報のユーザ名とパスワードとがそれぞれ一致する場合は（Ｓ１４：Ｙｅｓ）、ログインが成功した旨をログインを要求した機器に通知し（Ｓ１５）、それ以降にその機器からメモリカード４０に記憶されたデータの送信要求があれば、そのデータを送信する（Ｓ１８）。
【００６０】
一方、Ｓ１４の処理において、ログイン要求に付与されているユーザ名とパスワードとが、指定されている識別情報のユーザ名とパスワードとのいずれかが一致しない場合は（Ｓ１４：Ｎｏ）、ログインに失敗した旨をログインを要求した機器に通知する（Ｓ１７）。Ｓ１３の判断処理において、識別情報が指定されていない場合は（Ｓ１３：Ｎｏ）、ログイン要求に付与されているユーザ名とパスワードとが、識別情報メモリ１０ａに記憶されている複数の識別情報のいずれかのユーザ名とパスワードとそれぞれ一致するか否かを判断する（Ｓ１６）。ログイン要求に付与されているユーザ名とパスワードとが、識別情報メモリ１０ａに記憶されている複数の識別情報のユーザ名とパスワードのいずれかとそれぞれ一致する場合は（Ｓ１６：Ｙｅｓ）、ログインが成功した旨をログインを要求した機器に通知し（Ｓ１５）、それ以降にその機器からメモリカード４０に記憶されたデータの送信要求があれば、そのデータを送信する（Ｓ１８）。ログイン要求に付与されているユーザ名とパスワードとが、識別情報メモリ１０ａに記憶されている複数の識別情報のいずれにも一致しない場合は（Ｓ１６：Ｎｏ）、ログインに失敗した旨をログインを要求した機器に通知する（Ｓ１７）。
【００６１】
Ｓ９の判断処理において、メモリカード４０がメモリカード部８に装着されたのではない場合（Ｓ９：Ｎｏ）、またはＳ１２の判断処理において、ログイン要求を受信していいない場合（Ｓ１２：Ｎｏ）、またはＳ１７またはＳ１８の処理を終了した場合は、Ｓ２の処理へ戻る。
【００６２】
以上、図４に示すフローチャートに基づいて説明したように、複数のユーザに対応する識別情報を記憶し、その識別情報のいずれかが指定された場合は、その識別情報によりＬＡＮ５０を介してログイン要求が行われた場合に限りその要求を受け入れ、その識別情報とは異なる識別情報によりログイン要求が行われた場合は、要求を受け付けない。一方、識別情報が指定されない場合は、複数の識別情報のいずれかによりＬＡＮ５０を介してログイン要求が行われた場合は、その要求を受け入れ、複数の識別情報のいずれの識別情報とは異なる識別情報によりログイン要求が行われた場合は、要求を受け付けない。
【００６３】
よって、メモリカードに記憶された情報が、識別情報を記憶した複数のユーザ全てにより取得されては困る場合に、識別情報のいずれかを指定して、指定したユーザにだけメモリカードに記憶された情報を取得することができるようにすることができる。
【００６４】
次に、図５を参照して図４に示すフローチャートのＳ３の処理である識別情報設定処理について説明する。この識別情報設定処理は、ＭＰＦ１において、フラッシュメモリ１０の識別情報メモリ１０ａに識別情報を書込む、または識別情報を変更する処理である。図５は、識別情報設定処理を示すフローチャートである。
【００６５】
まず、識別情報メモリ１０ａに有効な識別情報が既に記憶されているか否かを判断する（Ｓ２１）。識別情報が記憶されていない場合は（Ｓ２１：Ｎｏ）、ユーザに識別情報を入力するための画面を表示し、ユーザによる入力を待機する。ユーザがユーザ名とパスワードとを入力した場合は、入力したユーザ名とパスワードを入力し（Ｓ２２）、さらに確認のために再度パスワードの入力を要求する。ユーザが、再度パスワードを入力すると、そのパスワードを入力する（Ｓ２３）。次に、Ｓ２２の処理により入力したパスワードとＳ２３の処理により再入力したパスワードとが一致するか否かを判断する（Ｓ２４）。
【００６６】
これらのパスワードが一致する場合は（Ｓ２４：Ｙｅｓ）、正しくパスワードが入力されたものとして、そのパスワードとユーザ名とを識別情報メモリ１０ａに書込み（Ｓ２５）、このパスワード入力処理を終了する。これらのパスワードが一致しない場合は（Ｓ２４：Ｎｏ）、Ｓ２２の処理に戻る。一方、Ｓ２１の判断処理において、識別情報メモリ４０ａに有効なユーザ名およびパスワードが既に記憶されている場合（Ｓ２１：Ｙｅｓ）は、そのパスワードを変更するか否かをユーザが選択する画面（図示なし）を表示し、ユーザが変更を指示するか否かを判断する（Ｓ２６）。
【００６７】
変更が指示された場合は（Ｓ２６：Ｙｅｓ）、Ｓ２２の処理へ進む。変更が指示されない場合は（Ｓ２６：Ｎｏ）、このパスワード入力処理を終了する。なお、Ｓ２６の判断処理において、ユーザによりユーザ名およびパスワードの変更が指示された場合は、現在のユーザ名およびパスワードを入力する画面を表示し、ユーザが正しいユーザ名およびパスワードを入力した場合は、Ｓ２２の処理へ進み、ユーザが正しいユーザ名およびパスワードを入力しない場合は、パスワードの変更を行わないようにしてもよい。
【００６８】
以上のように、ユーザは、識別情報メモリ１０ａにユーザ名とパスワードとが記憶されていない場合は、ユーザ名とパスワードとを設定することができ、既にユーザ名とパスワードとが記憶されている場合は、そのユーザ名とパスワードとを変更することができる。ユーザ名またはパスワードを変更する場合は、現在のユーザ名およびパスワードが正しく入力された場合は、変更を行えるものとし、現在のユーザ名およびパスワードが正しく入力されない場合は、ユーザ名またはパスワードを変更できないものとすれば、不正にユーザ名およびパスワードが変更されることを防止することができる。
【００６９】
次に、図６および図７を参照してＰＣ２０でのログイン処理について説明する。図６は、ＰＣ２０での処理を示すフローチャートであり、図７は、ＰＣ２０の表示器２５に表示されるログイン入力画面図である。
【００７０】
ＰＣ２０において、ＭＦＰ１のメモリカード部８に装着されているメモリカード４０にアクセスする場合は、まず、ブラウザを起動し、ＭＦＰ１にログインする（Ｓ３１）。ログインが行われると、ＰＣ２０に既に設定されているユーザ名と、デフォルトのパスワードが、ＭＦＰ１に送信される。
【００７１】
デフォルトのパスワードと有効なパスワードとは一致しないので、ログインに失敗したという情報が、ＭＰＦ１からＰＣ２０へ送信される。
【００７２】
ＰＣ２０は、このログインに失敗したという情報を受信すると、図７に示すユーザ名とパスワードとを入力するログイン入力画面を表示する（Ｓ３２）。通常、ＰＣ２０には、ユーザ名が登録されているので、ユーザ名が自動的に表示され、ユーザはパスワードだけを入力する。
【００７３】
ＰＣ２０は、そのパスワードを入力し（Ｓ３３）、ＭＰＦ１に、ログイン要求と、ユーザ名とパスワードとを送信する。そのパスワードが正しいパスワードであれば、ＭＰＦ１から、ログインに成功した旨の情報が送信され、ＰＣ２０は、その情報に応じて、メモリカードにアクセスするためのウインドウを表示し（Ｓ３４）、ユーザの指示を待つ。
【００７４】
図７は、ログイン入力画面６１を示す画面図であって、上述の通りＰＣからログインに失敗したという情報を受信した場合に表示される。このログイン入力画面６１は、ユーザ名を入力するボックス６１ａと、パスワードを入力するボックス６１ｂと、ログイン処理を指示するログインボタン６１ｃが表示される。
【００７５】
ユーザ名を入力するボックス６１ａには、通常予め設定されているユーザ名が自動的に設定され、必要があれば、マウスを操作してこのボックスにカーソルを合わせ、変更することができる。パスワードを入力するボックス６１ｂには、カーソルを合わせ、キーボードなどを使用してパスワードを入力する。ここでは、例として数字とアルファベットの組み合わせである「１２３ｘｙｚ」としたが、ボックス６１ｂに表示される文字は、他人が判別できないように「＊＊＊＊＊＊」などと表示される。以上のようにして、ユーザ名とパスワードとが入力され、ログインボタン６１ｃがクリックされると、ＰＣ２０からＭＦＰ１に対してログイン要求が実行される。
【００７６】
以上、実施形態を参照して説明したように、ＭＦＰ１において、複数のユーザに対応する識別情報のいずれかが指定された場合は、その指定された識別情報のみが有効な識別情報となり、識別情報のいずれもが指定されない場合は、複数の識別情報が有効な識別情報となる。
【００７７】
なお、請求項に記載の認証手段および認証ステップは、図４に記載のフローチャートのＳ１４およびＳ１６の処理が該当し、制御手段および制御ステップは、図４に記載のフローチャートのＳ１５、Ｓ１７およびＳ１８の処理が該当する。
【００７８】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００７９】
例えば、上記実施形態では、ＭＦＰ１が備えているフラッシュメモリに複数のユーザに対応する識別情報を記憶し、その複数のうちのいずれかの識別情報が指定されるものとしたが、複数のユーザに対応する識別情報をメモリカード４０に記憶し、そのメモリカード４０に記憶された複数の識別情報のいずれかを指定するようにしてもよい。
【００８０】
また、上記実施形態では、識別情報に対応するユーザ番号を入力することにより、複数の識別情報の中のいずれかを指定するものとしたが、識別情報メモリ１０ａに記憶される複数の識別情報に対応するユーザ番号を表示器に表示し、カーソルを合わせるなどの操作によりユーザ番号を指定してもよい。また、この指定操作は、ＭＦＰ１の操作部９において行うものとしたが、ＰＣ２０において、行うようにしてもよい。すなわち、ＰＣ２０において、操作部２７を操作することによりユーザ番号を入力したり、複数の識別情報に対応するユーザ番号を表示器に表示し、カーソルを合わせるなどの操作によりユーザ番号を指定してもよい。
【００８１】
また、上記実施形態では、識別情報に対応するユーザ番号を入力することにより、複数の識別情報の中のいずれかを指定するものとしたが、ユーザ番号に代えてユーザに対応し、アルファベットなどの文字や記号などにより指定するようにしてもよい。
【００８２】
また、上記実施形態では、ユーザが、メモリカード部８にメモリカード４０を装着する前にユーザ番号を入力した場合に、ユーザを指定できるものとしたが、メモリカードを装着した後に、ユーザ番号を入力したり、あるいは表示画面９ａに複数の識別情報を表示し、その識別情報の中のいずれかを指定するようにしてもよい。
【００８３】
また、上記実施形態では、カードリーダ（メモリカード部８）は、ＭＦＰ１に組み込まれているものとしたが、カードリーダまたはカードリーダライタ単独の機能を有するものでもよい。
【００８４】
また、上記実施形態では、カードリーダは、ＭＦＰ１の構成であるＣＰＵにより制御されるものとしたが、カードリーダが、コンピュータと例えばＵＳＢなどののインターフェースを介して接続され、そのコンピュータは、他のコンピュータとネットワークを介して接続されるようにしてもよい。
【図面の簡単な説明】
【００８５】
【図１】本発明の実施形態における多機能周辺装置を含む通信システムの電気的構成を示すブロック図である。
【図２】多機能周辺装置における操作パネル部分の平面図である
【図３】ＭＦＰとＰＣにおいて実行される処理の概要を示す模式図である
【図４】ＭＦＰでの処理を示すフローチャートである。
【図５】ＭＦＰにおける識別情報を設定または変更する処理を示すフローチャートである。
【図６】ＰＣにおける処理を示すテーブルである。
【図７】ＰＣにおけるログイン入力画面を示す画面図である。
【符号の説明】
【００８６】
１              多機能周辺装置（ＭＦＰ）
２              ＣＰＵ
３              ＲＡＭ
４              ＲＯＭ
８              メモリカード部（リムーバブルメディア装置）
９              操作部（指定手段）
９ｄ            テンキー（入力手段）
１０            フラッシュメモリ
１０ａ          識別情報メモリ（記憶手段）
２０            パーソナルコンピュータ
４０            メモリカード（リムーバブルメディア）
４０ａ          識別情報メモリ
５０            ＬＡＮ（ネットワーク）
【図１】
2007148721.tif 000003
【図２】
2007148721.tif 000004
【図３】
2007148721.tif 000005
【図４】
2007148721.tif 000006
【図５】
2007148721.tif 000007
【図６】
2007148721.tif 000008
【図７】
2007148721.tif 000009